(57)【特許請求の範囲】
【請求項１】
低域効果音チャンネルを含む第１チャンネル数を有する第１チャンネル構成の音声コンテンツを含む第１放送と、前記第１チャンネル数よりも少ない前記低域効果音チャンネルを含まない第２チャンネル数を有する第２チャンネル構成の音声コンテンツを含む第２放送とによって同一番組が同一時間帯に放送される同時放送を受信する受信装置であって、
前記第２チャンネル数よりも多い複数のスピーカと；
前記第１放送に関する放送波の受信品質を評価する評価手段と；
前記第１放送に基づく再生出力をしている際に、前記評価手段による評価値が第１閾値以下になった場合に、前記第２放送に基づく再生出力に切り替える切替手段と；
前記第１放送に基づく再生出力が行われる期間には、前記第１放送に含まれる前記第１チャンネル数の音声信号から、前記スピーカに供給される出力音声信号を生成するとともに、前記第２放送に基づく再生出力が行われる期間には、前記第２放送に含まれる前記第２チャンネル数の音声信号から、前記スピーカに供給される出力音声信号を生成する生成手段と；を備え、
前記複数のスピーカには、低音用スピーカが含まれ、
前記生成手段は、
前記第１放送に基づく再生出力が行われる期間においては、前記評価値の変化に対応して、
前記第１チャンネル構成における前記低域効果音チャンネル以外の他チャンネルの音声信号を前記低音用スピーカ以外の他スピーカのそれぞれに振り分けるための第１振り分け量を定めつつ、前記他スピーカに供給される出力音声信号を生成するとともに、
前記他チャンネルの低音成分の第２振り分け量と、前記低域効果音チャンネルの成分の第３振り分け量とを制御し、前記低音用スピーカに供給される出力音声信号を生成し、
前記第２放送に基づく再生出力が行われる期間においては、前記第２チャンネル構成のチャンネルの音声信号から、前記低音用スピーカを除いた前記第２チャンネル構成のチャンネルに予め対応付けられているスピーカに供給される出力音声信号を生成するとともに、前記第２チャンネル構成のチャンネルの低音成分から、前記低音用スピーカに供給される出力音声信号を生成し、
前記第１放送に基づく再生出力が行われる期間における前記他スピーカに供給される出力音声信号及び前記低音用スピーカに供給される出力音声信号の生成に際し、前記生成手段は、
前記評価値が前記第１閾値に近づくほど、前記他チャンネルに予め対応付けられているスピーカへの前記第１振り分け量を減少させるとともに、
前記他チャンネルに予め対応付けられているスピーカ以外のスピーカであって、前記低音用スピーカを除いたスピーカへの前記第１振り分け量を増加させ、
前記低音用スピーカへの前記第２振り分け量を増加させる一方で、前記第３振り分け量を減少させ、かつ、
前記評価値が前記第１閾値よりも大きく、かつ、第２閾値以下である期間を含む所定期間においては、
前記評価値の時間変化率の絶対値が所定の値以下の期間には、前記第１振り分け量、前記第２振り分け量及び前記第３振り分け量を定める振り分け率を、前記評価値の時間変化率に応じて変化させることで、前記第１振り分け量、前記第２振り分け量及び前記第３振り分け量を前記評価値の時間変化率に応じて連続的に変化させ、
前記評価値の時間変化率の絶対値が前記所定の値よりも大きい期間には、前記第１振り分け量、前記第２振り分け量及び前記第３振り分け量を定める振り分け率を、前記評価値の時間変化率の値にかかわらず、予め定められた割合で変化させることで、前記第１振り分け量、前記第２振り分け量及び前記第３振り分け量を連続的に変化させる、
ことを特徴とする受信装置。
【請求項２】
前記切替手段は、前記第２放送に基づく再生出力をしている際に、前記評価手段による評価値が第３閾値以上になった場合に、前記第１放送に基づく再生出力に切り替える、ことを特徴とする請求項１に記載の受信装置。
【請求項３】
移動体に搭載される、ことを特徴とする請求項1又は２に記載の受信装置。
【請求項４】
低域効果音チャンネルを含む第１チャンネル数を有する第１チャンネル構成の音声コンテンツを含む第１放送と、前記第１チャンネル数よりも少ない前記低域効果音チャンネルを含まない第２チャンネル数を有する第２チャンネル構成の音声コンテンツを含む第２放送とによって同一番組が同一時間帯に放送される同時放送を受信し、前記第２チャンネル数よりも多い複数のスピーカを備える受信装置において使用される音声再生方法であって、
前記第１放送に関する放送波の受信品質を評価する評価工程と；
前記第１放送に基づく再生出力をしている際に、前記評価工程における評価値が所定閾値以下になった場合に、前記第２放送に基づく再生出力に切り替える切替工程と；を備え、
前記複数のスピーカには、低音用スピーカが含まれ、
前記第１放送に基づく再生出力が行われる期間においては、前記評価値の変化に対応して、
前記第１チャンネル構成における前記低域効果音チャンネル以外の他チャンネルの音声信号を前記低音用スピーカ以外の他スピーカのそれぞれに振り分けるための第１振り分け量を定めつつ、前記他スピーカに供給される出力音声信号を生成するとともに、
前記他チャンネルの低音成分の第２振り分け量と、前記低域効果音チャンネルの成分の第３振り分け量とを制御し、前記低音用スピーカに供給される出力音声信号を生成し、
前記切替工程の実行により前記第２放送に基づく再生出力に切り替えられた場合には、前記第２チャンネル構成のチャンネルの音声信号から、前記低音用スピーカを除いた前記第２チャンネル構成のチャンネルに予め対応付けられているスピーカに供給される出力音声信号を生成するとともに、前記第２チャンネル構成のチャンネルの低音成分から、前記低音用スピーカに供給される出力音声信号を生成し、
前記第１放送に基づく再生出力が行われる期間における前記他スピーカに供給される出力音声信号及び前記低音用スピーカに供給される出力音声信号の生成に際し、
前記評価値が前記第１閾値に近づくほど、前記他チャンネルに予め対応付けられているスピーカへの前記第１振り分け量を減少させるとともに、
前記他チャンネルに予め対応付けられているスピーカ以外のスピーカであって、前記低音用スピーカを除いたスピーカへの前記第１振り分け量を増加させ、
前記低音用スピーカへの前記第２振り分け量を増加させる一方で、前記第３振り分け量を減少させ、かつ、
前記評価値が前記第１閾値よりも大きく、かつ、第２閾値以下である期間を含む所定期間においては、
前記評価値の時間変化率の絶対値が所定の値以下の期間には、前記第１振り分け量、前記第２振り分け量及び前記第３振り分け量を定める振り分け率を、前記評価値の時間変化率に応じて変化させることで、前記第１振り分け量、前記第２振り分け量及び前記第３振り分け量を前記評価値の時間変化率に応じて連続的に変化させ、
前記評価値の時間変化率の絶対値が前記所定の値よりも大きい期間には、前記第１振り分け量、前記第２振り分け量及び前記第３振り分け量を定める振り分け率を、前記評価値の時間変化率の値にかかわらず、予め定められた割合で変化させることで、前記第１振り分け量、前記第２振り分け量及び前記第３振り分け量を連続的に変化させる、
を備えることを特徴とする音声再生方法。
【請求項５】
請求項４に記載の音声再生方法を演算手段に実行させる、ことを特徴とする音声再生プログラム。
【請求項６】
請求項５に記載の音声再生プログラムが、演算手段により読み取り可能に記録されている、ことを特徴とする記録媒体。
【発明の詳細な説明】
【技術分野】
【０００１】
本発明は、受信装置、音声再生方法、音声再生プログラム、及び、当該音声再生プログラムが記録された記録媒体に関する。
【背景技術】
【０００２】
近年、放送のデジタル化が進められ、地上デジタル放送、ＢＳ（Broadcasting Satellite）デジタル放送及びＣＳ（Communication Satellite）放送が実用化されている。こうしたデジタル放送は、複数のセグメントを有する構造となっており、再生出力の品質が高く、エラー耐性が低い放送（以下、「Ｈ放送」とも呼ぶ）と、当該Ｈ放送よりも再生品質が劣り、エラー耐性が高い放送（以下、「Ｌ放送」とも呼ぶ）とが同時放送されるセグメント構成が広く採用されている。
【０００３】
例えば、現在の日本国における地上デジタル放送は１３個のセグメントを有する構造となっている。かかる地上デジタル放送では、１３個のセグメントのうち、１個のセグメントを利用したＬ放送としての携帯電話装置等向けのテレビ放送（以下、「１セグ放送」とも呼ぶ）と、他の１２個のセグメントを利用したＨ放送としての固定受信装置等向けの高画質・高音質のテレビ放送（以下、「１２セグ放送」とも呼ぶ）とが行われている。かかる２つのデジタル放送により、同一番組が同一時間帯に放送される同時放送が行われるようになっている。
【０００４】
以上のようなＬ放送とＨ放送との同時放送が行われている場合において、Ｌ放送に基づく再生とＨ放送に基づく再生とを適宜切り替る受信装置が提案されている（特許文献１参照：以下、「従来例」と呼ぶ）。この従来例の技術は、受信信号のＳＮ比を参照し、受信品質が良好なときにはＨ放送に基づく再生出力を行い、受信品質が良好でないときにはＬ放送に基づく再生出力を行うものである。
【０００５】
【特許文献１】特開２００５−２２３５４９号公報
【発明の開示】
【発明が解決しようとする課題】
【０００６】
ところで、一般に、Ｈ放送に基づく再生出力においては５．１チャンネルサラウンド方式等の高音質な音声の再生が可能とされており、Ｌ放送に基づく再生出力においては２チャンネルステレオ方式等のＨ放送の場合とは異なる方式の音声再生が可能とされている。この結果、上述した従来例の技術では、Ｌ放送からＨ放送、又は、Ｈ放送からＬ放送に切り替った際に、突然、異なる方式の音声再生に切り替わることにより、音質が大きく変化する場合があった。このような現象は、利用者に違和感を与えるものである。こうした違和感の発生は、受信装置が車両に搭載される場合には、当該車両の運転者の運転に対する集中力を乱すことになりかねない。
【０００７】
このため、同一番組を連続して視聴するために行われる放送間の切り替えの際に、再生音声の音質の変化を防止することができる新たな技術が要望されている。かかる要望に応えることが、本発明が解決すべき課題の一つとして挙げられる。
【０００８】
本発明は、上記の事情を鑑みてなされたものであり、同一番組が同一時間帯に放送される同時放送であって、異なる方式の放送間における再生放送の切り替えに際し、異なる方式の再生音声に、急に切り替わることによる違和感の発生を抑制することのできる受信装置及び音声再生方法を提供することを目的とする。
【課題を解決するための手段】
【０００９】
請求項１に記載の発明は、低域効果音チャンネルを含む第１チャンネル数を有する第１チャンネル構成の音声コンテンツを含む第１放送と、前記第１チャンネル数よりも少ない前記低域効果音チャンネルを含まない第２チャンネル数を有する第２チャンネル構成の音声コンテンツを含む第２放送とによって同一番組が同一時間帯に放送される同時放送を受信する受信装置であって、前記第２チャンネル数よりも多い複数のスピーカと；前記第１放送に関する放送波の受信品質を評価する評価手段と；前記第１放送に基づく再生出力をしている際に、前記評価手段による評価値が第１閾値以下になった場合に、前記第２放送に基づく再生出力に切り替える切替手段と；前記第１放送に基づく再生出力が行われる期間には、前記第１放送に含まれる前記第１チャンネル数の音声信号から、前記スピーカに供給される出力音声信号を生成するとともに、前記第２放送に基づく再生出力が行われる期間には、前記第２放送に含まれる前記第２チャンネル数の音声信号から、前記スピーカに供給される出力音声信号を生成する生成手段と；を備え、前記複数のスピーカには、低音用スピーカが含まれ、前記生成手段は、前記第１放送に基づく再生出力が行われる期間においては、前記評価値の変化に対応して、前記第１チャンネル構成における前記低域効果音チャンネル以外の他チャンネルの音声信号を前記低音用スピーカ以外の他スピーカのそれぞれに振り分けるための第１振り分け量を定めつつ、前記他スピーカに供給される出力音声信号を生成するとともに、前記他チャンネルの低音成分の第２振り分け量と、前記低域効果音チャンネルの成分の第３振り分け量とを制御し、前記低音用スピーカに供給される出力音声信号を生成し、前記第２放送に基づく再生出力が行われる期間においては、前記第２チャンネル構成のチャンネルの音声信号から、前記低音用スピーカを除いた前記第２チャンネル構成のチャンネルに予め対応付けられているスピーカに供給される出力音声信号を生成するとともに、前記第２チャンネル構成のチャンネルの低音成分から、前記低音用スピーカに供給される出力音声信号を生成し、前記第１放送に基づく再生出力が行われる期間における前記他スピーカに供給される出力音声信号及び前記低音用スピーカに供給される出力音声信号の生成に際し、前記生成手段は、前記評価値が前記第１閾値に近づくほど、前記他チャンネルに予め対応付けられているスピーカへの前記第１振り分け量を減少させるとともに、前記他チャンネルに予め対応付けられているスピーカ以外のスピーカであって、前記低音用スピーカを除いたスピーカへの前記第１振り分け量を増加させ、前記低音用スピーカへの前記第２振り分け量を増加させる一方で、前記第３振り分け量を減少させ、かつ、前記評価値が前記第１閾値よりも大きく、かつ、第２閾値以下である期間を含む所定期間においては、前記評価値の時間変化率の絶対値が所定の値以下の期間には、前記第１振り分け量、前記第２振り分け量及び前記第３振り分け量を定める振り分け率を、前記評価値の時間変化率に応じて変化させることで、前記第１振り分け量、前記第２振り分け量及び前記第３振り分け量を前記評価値の時間変化率に応じて連続的に変化させ、前記評価値の時間変化率の絶対値が前記所定の値よりも大きい期間には、前記第１振り分け量、前記第２振り分け量及び前記第３振り分け量を定める振り分け率を、前記評価値の時間変化率の値にかかわらず、予め定められた割合で変化させることで、前記第１振り分け量、前記第２振り分け量及び前記第３振り分け量を連続的に変化させる、ことを特徴とする受信装置である。
【００１０】
請求項４に記載の発明は、低域効果音チャンネルを含む第１チャンネル数を有する第１チャンネル構成の音声コンテンツを含む第１放送と、前記第１チャンネル数よりも少ない前記低域効果音チャンネルを含まない第２チャンネル数を有する第２チャンネル構成の音声コンテンツを含む第２放送とによって同一番組が同一時間帯に放送される同時放送を受信し、前記第２チャンネル数よりも多い複数のスピーカを備える受信装置において使用される音声再生方法であって、前記第１放送に関する放送波の受信品質を評価する評価工程と；前記第１放送に基づく再生出力をしている際に、前記評価工程における評価値が所定閾値以下になった場合に、前記第２放送に基づく再生出力に切り替える切替工程と；を備え、前記複数のスピーカには、低音用スピーカが含まれ、前記第１放送に基づく再生出力が行われる期間においては、前記評価値の変化に対応して、前記第１チャンネル構成における前記低域効果音チャンネル以外の他チャンネルの音声信号を前記低音用スピーカ以外の他スピーカのそれぞれに振り分けるための第１振り分け量を定めつつ、前記他スピーカに供給される出力音声信号を生成するとともに、前記他チャンネルの低音成分の第２振り分け量と、前記低域効果音チャンネルの成分の第３振り分け量とを制御し、前記低音用スピーカに供給される出力音声信号を生成し、前記切替工程の実行により前記第２放送に基づく再生出力に切り替えられた場合には、前記第２チャンネル構成のチャンネルの音声信号から、前記低音用スピーカを除いた前記第２チャンネル構成のチャンネルに予め対応付けられているスピーカに供給される出力音声信号を生成するとともに、前記第２チャンネル構成のチャンネルの低音成分から、前記低音用スピーカに供給される出力音声信号を生成し、前記第１放送に基づく再生出力が行われる期間における前記他スピーカに供給される出力音声信号及び前記低音用スピーカに供給される出力音声信号の生成に際し、前記評価値が前記第１閾値に近づくほど、前記他チャンネルに予め対応付けられているスピーカへの前記第１振り分け量を減少させるとともに、前記他チャンネルに予め対応付けられているスピーカ以外のスピーカであって、前記低音用スピーカを除いたスピーカへの前記第１振り分け量を増加させ、前記低音用スピーカへの前記第２振り分け量を増加させる一方で、前記第３振り分け量を減少させ、かつ、前記評価値が前記第１閾値よりも大きく、かつ、第２閾値以下である期間を含む所定期間においては、前記評価値の時間変化率の絶対値が所定の値以下の期間には、前記第１振り分け量、前記第２振り分け量及び前記第３振り分け量を定める振り分け率を、前記評価値の時間変化率に応じて変化させることで、前記第１振り分け量、前記第２振り分け量及び前記第３振り分け量を前記評価値の時間変化率に応じて連続的に変化させ、前記評価値の時間変化率の絶対値が前記所定の値よりも大きい期間には、前記第１振り分け量、前記第２振り分け量及び前記第３振り分け量を定める振り分け率を、前記評価値の時間変化率の値にかかわらず、予め定められた割合で変化させることで、前記第１振り分け量、前記第２振り分け量及び前記第３振り分け量を連続的に変化させる、を備えることを特徴とする音声再生方法である。
【００１１】
請求項５に記載の発明は、請求項４に記載の音声再生方法を演算手段に実行させる、ことを特徴とする音声再生プログラムである。
【００１２】
請求項６に記載の発明は、請求項５に記載の音声再生プログラムが、演算手段により読み取り可能に記録されている、ことを特徴とする記録媒体である。
【発明を実施するための最良の形態】
【００１３】
以下、本発明の一実施形態を、図１〜図１５を参照して説明する。なお、以下の説明及び図面においては、同一又は同等の要素には同一の符号を付し、重複する説明は省略する。
【００１４】
［構成］
図１には、一実施形態に係る受信装置１００の概略的な構成がブロック図にて示されている。この受信装置１００は、地上デジタル放送において同時放送が行われているＬ放送（第２放送）とＨ放送（第１放送）とを受信するデジタル放送受信装置であるものとする。また、この受信装置１００は、車両ＣＲ（図２参照）に搭載される装置であるものとする。
【００１５】
この図１に示されるように、受信装置１００は、アンテナ１１０と、チューナユニット１２０とを備えている。また、受信装置１００は、音出力ユニット１３０C〜１３０SWと、表示ユニット１４０と、操作入力ユニット１５０とを備えている。さらに、受信装置１００は、再生処理ユニット１６０と、評価手段としての制御ユニット１９０とを備えている。
【００１６】
上記のアンテナ１１０は、放送波を受信する。このアンテナ１１０による受信結果は、受信信号ＲＦＳとして、チューナユニット１２０へ向けて出力される。
【００１７】
上記のチューナユニット１２０は、制御ユニット１９０から供給されたデジタル形式の選局指令ＣＳＬに従って、アンテナ１１０で受信した受信信号ＲＦＳから選局すべき放送チャンネルの信号を抽出し、中間周波数帯の信号に変換する。かかる機能を有するチューナユニット１２０は、アンテナ入力フィルタ、高周波増幅器、バンドパスフィルタ（以下、「ＲＦフィルタ」とも呼ぶ）、ミキサ（混合器）、中間周波数フィルタ（以下、「ＩＦフィルタ」とも呼ぶ）、局部発振回路等（いずれも不図示）を備えて構成されている。
【００１８】
このチューナユニット１２０では、選択受信信号が、アンテナ入力フィルタを通過することにより、低周波成分が除去された後、高周波増幅器により増幅される。こうして高周波増幅器により増幅された信号は、ＲＦフィルタにより、特定の高周波数範囲の信号が抽出された後、ミキサにおいて、制御ユニット１９０からの選局指令ＣＳＬに従って局部発振回路により生成された希望局に対応する周波数を有する局部発振信号と混合される。ミキサによる混合結果からＩＦフィルタにより予め定められた中間周波数帯の信号が選択される。この選択結果が、アナログデジタル変換された後、選局信号ＳＣＨとして、再生処理ユニット１６０へ向けて出力される。
【００１９】
上記の音出力ユニット１３０C〜１３０SWは、本実施形態では、１３０C，１３０L，１３０R，１３０SL，１３０SR，１３０SWからなる。ここで、音出力ユニット１３０Cはセンタスピーカ１３１Cを有している。また、音出力ユニット１３０Lはレフトスピーカ１３１Lを有し、音出力ユニット１３０Rはライトスピーカ１３１Rを有している。また、音出力ユニット１３０SLはサラウンドレフトスピーカ１３１SLを有し、音出力ユニット１３０SRはサラウンドライトスピーカ１３１SRを有している。また、音出力ユニット１３０SWはサブウーハスピーカ１３１SWを有している。
【００２０】
音出力ユニット１３０C〜１３０SWのそれぞれは、上述したスピーカ１３１C〜１３１SWの他に、再生処理ユニット１６０から受信した出力音声データＡＤＴC〜ＡＤＴSWをアナログ信号に変換するＤＡ変換器（Digital to Analog Converter）と、当該ＤＡ変換器から出力されたアナログ信号を増幅する増幅器とを備えて構成されている。これらの音出力ユニット１３０C〜１３０SWにより、放送音声が再生される。
【００２１】
本実施形態では、図２に示されるように、音出力ユニット１３０Cのセンタスピーカ１３１Cは、車両ＣＲの車内空間である音場空間ＡＳＰの前方中央部のダッシュボード内に配置される。このセンタスピーカ１３１Cは、後方を向くように配設されている。
【００２２】
音出力ユニット１３０Lのレフトスピーカ１３１Lは、助手席側の前方ドア筐体内に配置される。このレフトスピーカ１３１Lは、助手席側を向くように配設されている。音出力ユニット１３０Rのライトスピーカ１３１Rは、運転席側の前方ドア筐体内に配置される。このライトスピーカ１３１Rは、運転席側を向くように配設されている。
【００２３】
音出力ユニット１３０SLのサラウンドレフトスピーカ１３１SLは、助手席側後部の筐体内に配置される。このサラウンドレフトスピーカ１３１SLは、助手席側の後部座席を向くように配設されている。音出力ユニット１３０SRのサラウンドライトスピーカ１３１SRは、運転席側後部の筐体内に配置される。このサラウンドライトスピーカ１３１SRは、運転席側の後部座席を向くように配設されている。
【００２４】
音出力ユニット１３０SWのサブウーハスピーカ１３１SWは、音場空間ＡＳＰの後部に配置される。このサブウーハスピーカ１３１SWは、車両の前方に向けて配設されている。
【００２５】
図１に戻り、上記の表示ユニット１４０は、例えば、（ｉ）液晶パネル、有機ＥＬ（Electro Luminescence）パネル、ＰＤＰ（Plasma Display Panel）等の表示デバイスと、（ii）再生処理ユニット１６０から受信した出力映像データＶＤＴに従って、当該表示デバイスに画像を表示させる表示制御回路とを備えている。この表示ユニット１４０により、放送映像が再生される。
【００２６】
上記の操作入力ユニット１５０は、受信装置１００の本体部に設けられたキー部、及び／又はキー部を備えるリモート入力装置等により構成される。ここで、本体部に設けられたキー部としては、表示ユニット１４０に設けられたタッチパネルを用いることができる。なお、キー部を有する構成に代えて、又は併用して音声認識技術を利用して音声にて入力する構成を採用することもできる。この操作入力ユニット１５０への操作入力結果は、操作入力データＩＰＤとして制御ユニット１９０へ向けて送られる。
【００２７】
上記の再生処理ユニット１６０は、チューナユニット１２０からの選局信号ＳＣＨの再生処理を行う。かかる機能を有する再生処理ユニット１６０は、図３に示されるように、データ分配ユニット２１０と、出力音声生成ユニット２２０と、映像選択ユニット２３０とを備えている。
【００２８】
上記のデータ分配ユニット２１０は、選局信号ＳＣＨの復調処理、Ｌ放送関連データ及びＨ放送関連データの分離処理、及び、分離されたデータのデコード処理を行う。このデータ分配ユニット２１０は、図４に示されるように、復調部２１１と、Ｌパケット処理部２１２と、Ｈパケット処理部２１３とを備えている。また、データ分配ユニット２１０は、Ｌデコード部２１４と、Ｈデコード部２１５とを備えている。
【００２９】
上記の復調部２１１は、選局信号ＳＣＨの復調処理を行う。より具体的には、復調部２１１は、地上デジタル放送で採用されているＯＦＤＭ変調に対応して、セグメントごとにＯＦＤＭ復調を行う。かかるセグメントごとのＯＦＤＭ復調の結果のうち、Ｌ放送に対応する１セグメントの復調結果は、Ｌ放送パケットデータＬＰＫとして、Ｌパケット処理部２１２へ向けて出力される。また、セグメントごとのＯＦＤＭ復調の結果のうち、Ｌ放送に対応する１セグメントを除いた１２セグメントの復調結果は、Ｈ放送パケットデータＨＰＫとして、Ｈパケット処理部２１３へ向けて出力される。
【００３０】
また、復調部２１１は、Ｈ放送に関連するデータのビットエラー率を検出する。検出されたビットエラー率は、Ｈ放送ビットエラー率ＨＢＲとして、制御ユニット１９０へ向けて出力される。
【００３１】
上記のＬパケット処理部２１２は、復調部２１１からのＬ放送パケットデータＬＰＫを解析して、Ｌ放送の音声及び映像のデータＬＡＶを抽出する。こうして抽出されたデータＬＡＶは、Ｌデコード部２１４へ向けて出力される。
【００３２】
上記のＨパケット処理部２１３は、復調部２１１からのＨ放送パケットデータＨＰＫを解析して、Ｈ放送の音声及び映像のデータＨＡＶを抽出する。こうして抽出されたデータＨＡＶは、Ｈデコード部２１５へ向けて出力される。
【００３３】
上記のＬデコード部２１４は、データＬＡＶをデコードして、Ｌ放送の音声データＤＬＡ及び映像データＤＬＶを生成する。このＬデコード部２１４では、地上デジタル放送におけるＬ放送（１セグ放送）に採用されているＨ．２６４／ＡＶＣ方式に従って、デコード処理を行っている。こうして生成された音声データＤＬＡは、出力音声生成ユニット２２０へ向けて出力される。また、映像データＤＬＶは、映像選択ユニット２３０へ向けて出力される。
【００３４】
なお、本実施形態では、音声データＤＬＡは、２チャンネルステレオ方式の音声コンテンツデータとする。かかる２チャンネルステレオ方式では、音声チャンネルとして、レフトチャンネル（以下、「Ｌチャンネル」とも記す）と、ライトチャンネル（以下、「Ｒチャンネル」とも記す）が用意されている。
【００３５】
上記のＨデコード部２１５は、データＨＡＶをデコードして、Ｈ放送の音声データＤＨＡ及び映像データＤＨＶを生成する。このＨデコード部２１５では、地上デジタル放送におけるＨ放送（１２セグ放送）に採用されているＭＰＥＧ２方式に従って、デコード処理を行っている。こうして生成された音声データＤＨＡは、出力音声生成ユニット２２０へ向けて出力される。また、生成された映像データＤＨＶは、映像選択ユニット２３０へ向けて出力される。
【００３６】
なお、本実施形態では、音声データＤＨＡは、５．１チャンネルサラウンド方式の音声コンテンツデータとする。かかる５．１チャンネルサラウンド方式では、音声チャンネルとして、センタチャンネル（以下、「Ｃチャンネル」とも記す）、レフトチャンネル、ライトチャンネル、サラウンドレフトチャンネル（以下、「ＳＬチャンネル」とも記す）、サラウンドライトチャンネル（以下、「ＳＲチャンネル」とも記す）、低域効果音チャンネル（以下、「ＬＦＥ（Low Frequency Effect）チャンネル」とも記す）が用意されている。
【００３７】
図３に戻り、上記の出力音声生成ユニット２２０は、データ分配ユニット２１０からの音声データＤＬＡ，ＤＨＡを受け、出力音声データＡＤＴC〜ＡＤＴSWを生成する。この出力音声生成ユニット２２０は、図５に示されるように、音声信号分離ユニット２２１と、切替手段としての音声選択ユニット２２２と、生成手段としての音声信号混合ユニット２２３とを備えている。
【００３８】
上記の音声信号分離ユニット２２１は、データ分配ユニット２１０からの音声データＤＬＡ，ＤＨＡを受ける。そして、音声信号分離ユニット２２１は、制御ユニット１９０からのチャンネル分離指令ＣＳＣに従って、音声データＤＬＡを、２チャンネルステレオ方式におけるＬ，Ｒチャンネルに対応する２個の音声チャンネルデータＳＬＴL，ＳＬＴRに分離する。引き続き、音声信号分離ユニット２２１は、音声チャンネルデータＳＬＴLと同一態様の音声チャンネルデータＳＬＴSLを生成し、音声チャンネルデータＳＬＴRと同一態様の音声チャンネルデータＳＬＴSRを生成するとともに、ゼロレベル信号のデータＳＬＴC，ＳＬＴLFEを生成する。なお、以下の説明においては、ゼロレベル信号のデータを含むＳＬＴC〜ＳＬＴLFEを音声チャンネルデータと呼ぶ。こうして分離・生成された音声チャンネルデータＳＬＴC〜ＳＬＴLFEは、音声選択ユニット２２２へ向けて送られる。
【００３９】
また、音声信号分離ユニット２２１は、制御ユニット１９０からのチャンネル分離指令ＣＳＣに従って、音声データＤＨＡを、５．１チャンネルサラウンド方式におけるＣ〜ＬＦＥチャンネルに対応する６個の音声チャンネルデータＳＨＴC〜ＳＨＴLFEに分離する。こうして分離された音声チャンネルデータＳＨＴC〜ＳＨＴLFEは、音声選択ユニット２２２へ向けて送られる。
【００４０】
上記の音声選択ユニット２２２は、音声信号分離ユニット２２１から音声チャンネルデータＳＬＴC〜ＳＬＴLFEと、音声チャンネルデータＳＨＴC〜ＳＨＴLFEとを受ける。そして、音声選択ユニット２２２は、制御ユニット１９０からの選択指令ＳＬＳに従って、音声チャンネルデータＳＬＴC〜ＳＬＴLFE及び音声チャンネルデータＳＨＴC〜ＳＨＴLFEのいずれかを選択する。こうして選択された音声チャンネルデータは、選択音声データＰＢＴC〜ＰＢＴLFEとして音声信号混合ユニット２２３へ向けて送られる。
【００４１】
上記の音声信号混合ユニット２２３は、音声選択ユニット２２２からの選択音声データＰＢＴC〜ＰＢＴLFEを受け、後述する音声信号の振り分け処理を行い、出力音声データＡＤＴC〜ＡＤＴLFEを生成する。この音声信号混合ユニット２２３は、図６に示されるように、Ｃチャンネル混合部（ＭＸC）２２３Cと、Ｌチャンネル混合部（ＭＸL）２２３Lと、ＳＬチャンネル混合部（ＭＸSL）２２３SLとを備えている。また、音声信号混合ユニット２２３は、Ｒチャンネル混合部（ＭＸR）２２３Rと、ＳＲチャンネル混合部（ＭＸSR）２２３SRと、ＬＦＥチャンネル混合部（ＭＸLFE）２２３LFEとを備えている。
【００４２】
上記のＭＸC２２３Cは、図７に示されるように、可変減衰部３１１を備えて構成されている。可変減衰部３１１は、音声選択ユニット２２２からの選択音声データＰＢＴCを受けるとともに、制御ユニット１９０からの個別減衰制御信号ＭＸＳCを受ける。そして、可変減衰部３１１は、個別減衰制御信号ＭＸＳCにより指定された係数を選択音声データＰＢＴCに乗じる。可変減衰部３１１は、この乗算結果を、出力音声データＡＤＴCとして音出力ユニット１３０Cへ向けて出力する。
【００４３】
上記のＭＸL２２３Lは、図８に示されるように、可変減衰部３２１L，３２１SL，３２１Cと、加算部３２２とを備えて構成されている。
【００４４】
可変減衰部３２１j（ｊ＝Ｌ，ＳＬ）のそれぞれは、音声選択ユニット２２２からの選択音声データＰＢＴjを受けるとともに、制御ユニット１９０からの個別減衰制御信号ＭＸＳL,jを受ける。そして、可変減衰部３２１jは、個別減衰制御信号ＭＸＳL,jにより指定された係数を選択音声データＰＢＴjに乗じる。可変減衰部３２１jは、この乗算結果を加算部３２２へ向けて出力する。
【００４５】
可変減衰部３２１Cは、音声選択ユニット２２２からの選択音声データＰＢＴCを受けるとともに、制御ユニット１９０からの個別減衰制御信号ＭＸＳL,Cを受ける。そして、可変減衰部３２１Cは、個別減衰制御信号ＭＸＳL,Cにより指定された係数を選択音声データＰＢＴCに乗じる。可変減衰部３２１Cは、この乗算結果を、加算部３２２へ向けて出力する。
【００４６】
加算部３２２は、可変減衰部３２１L，３２１SL，３２１Cからの乗算結果を受け、これらの乗算結果を加算する。加算部３２２は、この加算結果を、出力音声データＡＤＴLとして音出力ユニット１３０Lへ向けて出力する。
【００４７】
上記のＭＸSL２２３SLは、図９に示されるように、可変減衰部３３１SL，３３１Lと、加算部３３２とを備えて構成されている。
【００４８】
可変減衰部３３１j（ｊ＝Ｌ，ＳＬ）のそれぞれは、音声選択ユニット２２２からの選択音声データＰＢＴjを受けるとともに、制御ユニット１９０からの個別減衰制御信号ＭＸＳSL,jを受ける。そして、可変減衰部３３１jは、個別減衰制御信号ＭＸＳSL,jにより指定された係数を選択音声データＰＢＴjに乗じる。可変減衰部３３１jは、この乗算結果を加算部３３２へ向けて出力する。
【００４９】
加算部３３２は、可変減衰部３３１L，３３１SLからの乗算結果を受け、これらの乗算結果を加算する。加算部３３２は、この加算結果を、出力音声データＡＤＴSLとして音出力ユニット１３０SLへ向けて出力する。
【００５０】
上記のＭＸR２２３Rは、図１０に示されるように、可変減衰部３４１R，３４１SR，３４１Cと、加算部３４２とを備えて構成されている。
【００５１】
可変減衰部３４１k（ｋ＝Ｒ，ＳＲ）のそれぞれは、音声選択ユニット２２２からの選択音声データＰＢＴkを受けるとともに、制御ユニット１９０からの個別減衰制御信号ＭＸＳR,kを受ける。そして、可変減衰部３４１kは、個別減衰制御信号ＭＸＳR,kにより指定された係数を選択音声データＰＢＴkに乗じる。可変減衰部３４１kは、この乗算結果を加算部３４２へ向けて出力する。
【００５２】
可変減衰部３４１Cは、音声選択ユニット２２２からの選択音声データＰＢＴCを受けるとともに、制御ユニット１９０からの個別減衰制御信号ＭＸＳR,Cを受ける。そして、可変減衰部３４１Cは、個別減衰制御信号ＭＸＳR,Cにより指定された係数を選択音声データＰＢＴCに乗じる。可変減衰部３４１Cは、この乗算結果を、加算部３４２へ向けて出力する。
【００５３】
加算部３４２は、可変減衰部３４１R，３４１SR，３４１Cからの乗算結果を受け、これらの乗算結果を加算する。加算部３４２は、この加算結果を、出力音声データＡＤＴRとして音出力ユニット１３０Rへ向けて出力する。
【００５４】
上記のＭＸSR２２３SRは、図１１に示されるように、可変減衰部３５１SR，３５１Rと、加算部３５２とを備えて構成されている。
【００５５】
可変減衰部３５１k（ｋ＝Ｒ，ＳＲ）のそれぞれは、音声選択ユニット２２２からの選択音声データＰＢＴkを受けるとともに、制御ユニット１９０からの個別減衰制御信号ＭＸＳSR,kを受ける。そして、可変減衰部３５１kは、個別減衰制御信号ＭＸＳSR,kにより指定された係数を選択音声データＰＢＴkに乗じる。可変減衰部３５１kは、この乗算結果を加算部３５２へ向けて出力する。
【００５６】
加算部３５２は、可変減衰部３５１R，３５１SRからの乗算結果を受け、これらの乗算結果を加算する。加算部３５２は、この加算結果を、出力音声データＡＤＴSRとして音出力ユニット１３０SRへ向けて出力する。
【００５７】
上記のＭＸLFE２２３LFEは、図１２に示されるように、ローパスフィルタ（ＬＰＦ）３６１C〜３６１SRと、可変減衰部３６２C〜３６２LFEと、加算部３６３とを備えて構成されている。
【００５８】
ＬＰＦ３６１C〜３６１SRのそれぞれは、音声選択ユニット２２２からの選択音声データＰＢＴC〜ＰＢＴSRを受ける。そして、ＬＰＦ３６１C〜３６１SRは、所定周波数よりも低い周波数成分を選択的に通過させる。ＬＰＦ３６１C〜３６１SRから出力された音声データは、可変減衰部３６２C〜３６２SRへ向けて出力される。なお、この所定周波数は、サブウーハスピーカ１３１SWから出力させるべき音声の上限周波数となるように、実験、シミュレーション、経験等に基づいて、予め定められる。
【００５９】
可変減衰部３６２C〜３６２SRのそれぞれは、ＬＰＦ３６１C〜３６１SRからの音声データを受けるとともに、制御ユニット１９０からの個別減衰制御信号ＭＸＳLFE,C〜ＭＸＳLFE,SRを受ける。そして、可変減衰部３６２C〜３６２SRは、個別減衰制御信号ＭＸＳLFE,C〜ＭＸＳLFE,SRにより指定された係数を音声データに乗じる。可変減衰部３６２C〜３６２SRは、この乗算結果を加算部３６３へ向けて出力する。
【００６０】
可変減衰部３６２LFEは、音声選択ユニット２２２からの選択音声データＰＢＴLFEを受けるとともに、制御ユニット１９０からの個別減衰制御信号ＭＸＳLFE,LFEを受ける。そして、可変減衰部３６２LFEは、個別減衰制御信号ＭＸＳLFE,LFEにより指定された係数を選択音声データＰＢＴLFEに乗じる。可変減衰部３６２LFEは、この乗算結果を、加算部３６３へ向けて出力する。
【００６１】
加算部３６３は、可変減衰部３６２C〜３６２LFEからの乗算結果を受け、これらの乗算結果を加算する。加算部３６３は、この加算結果を、出力音声データＡＤＴLFEとして音出力ユニット１３０SWへ向けて出力する。
【００６２】
図３に戻り、映像選択ユニット２３０は、データ分配ユニット２１０から映像データＤＬＶと、映像データＤＨＶとを受ける。そして、映像選択ユニット２３０は、制御ユニット１９０からの選択指令ＳＬＳに従って、映像データＤＬＶ及び映像データＤＨＶのいずれかを選択する。こうして選択された映像データは、出力映像データＶＤＴとして表示ユニット１４０へ向けて出力される。
【００６３】
次に、図１に戻り、上記の制御ユニット１９０について説明する。制御ユニット１９０は、受信装置１００の動作の制御を行う。
【００６４】
制御ユニット１９０は、操作入力ユニット１５０に入力された選局指定を操作入力データＩＰＤとして受ける。そして、制御ユニット１９０は、当該選局指定に従って、指定された放送チャンネルの選択を行わせるための選局指令ＣＳＬを生成し、チューナユニット１２０へ向けて出力する。
【００６５】
また、制御ユニット１９０は、再生処理ユニット１６０の出力音声生成ユニット２２０における音声信号分離ユニット２２１を制御して（図５参照）、音声データＤＬＡを、２チャンネルステレオ方式におけるＬ，Ｒチャンネルに対応する２個の音声チャンネルデータＳＬＴL，ＳＬＴRに分離させる。引き続き、制御ユニット１９０は、音声信号分離ユニット２２１を制御して、音声チャンネルデータＳＬＴLと同一態様の音声チャンネルデータＳＬＴSL、音声チャンネルデータＳＬＴRと同一態様の音声チャンネルデータＳＬＴSRを生成させるとともに、ゼロレベル信号のデータＳＬＴC，ＳＬＴLFEを生成させる。
【００６６】
また、制御ユニット１９０は、音声信号分離ユニット２２１を制御して、音声データＤＨＡを、５．１チャンネルサラウンド方式におけるＣ〜ＬＦＥチャンネルに対応する６個の音声チャンネルデータＳＨＴC〜ＳＨＴLFEに分離させる。こうした音声データの分離・生成の制御に際し、制御ユニット１９０は、チャンネル分離指令ＣＳＣを音声信号分離ユニット２２１へ向けて発行する。
【００６７】
また、制御ユニット１９０は、再生処理ユニット１６０のデータ分配ユニット２１０（図３参照）からのＨ放送ビットエラー率ＨＢＲを受け、このＨ放送ビットエラー率ＨＢＲに基づいて、チューナユニット１２０が受信した受信信号の受信品質を評価する。そして、制御ユニット１９０は、この受信品質の評価値ＥＳＴに基づいて、選択指令ＳＬＳを生成し、当該指令を出力音声生成ユニット２２０及び映像選択ユニット２３０へ向けて出力する。より具体的には、評価値ＥＳＴが所定の第１閾値ＴＨＳ１未満である場合には、制御ユニット１９０は、Ｌデコード部２１４（図４参照）からの音声データＤＬＡ及び映像データＤＬＶを選択すべき旨の選択指令ＳＬＳを生成し、当該指令を出力音声生成ユニット２２０及び映像選択ユニット２３０へ向けて出力する。
【００６８】
一方、評価値ＥＳＴが第１閾値ＴＨＳ１以上である場合には、制御ユニット１９０は、Ｈデコード部２１５からの音声データＤＨＡ及び映像データＤＨＶを選択すべき旨の選択指令ＳＬＳを生成し、当該指令を出力音声生成ユニット２２０及び映像選択ユニット２３０へ向けて出力する。
【００６９】
また、制御ユニット１９０は、上述した評価値ＥＳＴ及び評価値ＥＳＴの時間変化率に基づいて、減衰制御信号ＭＸＳを生成し、当該制御信号を音声信号混合ユニット２２３へ向けて発行する。この減衰制御信号ＭＸＳには、個別減衰制御信号ＭＸＳC〜ＭＸＳLFEが含まれている（図６参照）。さらに、個別減衰制御信号ＭＸＳLには、ＭＸＳL,L，ＭＸＳL,SL，ＭＸＳL,Cが含まれ（図８参照）、個別減衰制御信号ＭＸＳSLには、ＭＸＳSL,L，ＭＸＳSL,SLが含まれている（図９参照）。また、個別減衰制御信号ＭＸＳRには、ＭＸＳR,R，ＭＸＳR,SR，ＭＸＳR,Cが含まれ（図１０参照）、個別減衰制御信号ＭＸＳSRには、ＭＸＳSR,R，ＭＸＳSR,SRが含まれている（図１１参照）。また、個別減衰制御信号ＭＸＳLFEには、ＭＸＳLFE,C〜ＭＸＳLFE,LFEが含まれている（図１２参照）。
【００７０】
より具体的には、評価値ＥＳＴが上述した第１閾値ＴＨＳ１よりも大きい第２閾値ＴＨＳ２以上である状態が継続している期間（例えば、図１３におけるＴ0≦ｔ≦Ｔ1）には、制御ユニット１９０は、係数を「１」に指定した個別減衰制御信号ＭＸＳC，ＭＸＳL,L，ＭＸＳSL,SL，ＭＸＳR,R，ＭＸＳSR,SR，ＭＸＳLFE,LFEを生成するとともに、係数を「０」に指定した個別減衰制御信号ＭＸＳL,SL，ＭＸＳL,C，ＭＸＳSL,L，ＭＸＳR,SR，ＭＸＳR,C，ＭＸＳSR,R，ＭＸＳLFE,C〜ＭＸＳLFE,SRを生成する（図１４参照）。すなわち、受信装置１００が安定した状態でＨ放送を受信している場合には、制御ユニット１９０は、５．１チャンネルサラウンド方式におけるＣ〜ＬＦＥチャンネルに対応する６個の選択音声データＰＢＴC〜ＰＢＴLFEが、そのまま、出力音声データＡＤＴC〜ＡＤＴLFEとなるように係数を設定する（以下、こうした係数設定を「Ｈ設定」ともいう）。
【００７１】
なお、第２閾値ＴＨＳ２は、聴取者に違和感を与えないという観点から、実験、シミュレーション、経験等に基づいて、予め定められる。
【００７２】
一方、評価値ＥＳＴが第１閾値ＴＨＳ１未満の期間（例えば、図１３におけるＴ4≦ｔ≦Ｔ5）には、制御ユニット１９０は、係数を「０」に指定した個別減衰制御信号ＭＸＳC，ＭＸＳLFE,LFEを生成するとともに、係数を「０．５」に指定した個別減衰制御信号ＭＸＳL,L，ＭＸＳL,SL，ＭＸＳL,C，ＭＸＳSL,L，ＭＸＳSL,SL，ＭＸＳR,R，ＭＸＳR,SR，ＭＸＳR,C，ＭＸＳSR,R，ＭＸＳSR,SR及び係数を「１」に指定した個別減衰制御信号ＭＸＳLFE,C〜ＭＸＳLFE,SRを生成する（図１４参照）。すなわち、受信装置１００がＬ放送を受信している場合には、制御ユニット１９０は、２チャンネルステレオ方式におけるＬチャンネルに対応する音声データが出力音声データＡＤＴL，ＡＤＴSLとなり、Ｒチャンネルに対応する音声データが出力音声データＡＤＴR，ＡＤＴSRとなるとともに、Ｌチャンネル及びＲチャンネルの音声データの所定周波数よりも低い周波数成分が出力音声データＡＤＴLFEとなるように係数を設定する（以下、こうした係数設定を「Ｌ設定」ともいう）。
【００７３】
さらに、評価値ＥＳＴが第１閾値ＴＨＳ１以上であり、かつ、第２閾値ＴＨＳ２以下である期間を含む所定期間（例えば、図１３におけるＴ3≦ｔ≦Ｔ4）には、制御ユニット１９０は、評価値ＥＳＴ及び評価値ＥＳＴの時間変化率に基づいて、各個別減衰制御信号により指定される係数を、「Ｈ設定」と「Ｌ設定」の範囲内で連続的に変化させる制御を行う。すなわち、制御ユニット１９０は、評価値ＥＳＴ及び評価値ＥＳＴの時間変化率に基づいて、係数を「１」から「０」の範囲に指定した個別減衰制御信号ＭＸＳC，ＭＸＳLFE,LFEを生成するとともに、係数を「１」から「０．５」の範囲に指定した個別減衰制御信号ＭＸＳL,L，ＭＸＳSL,SL，ＭＸＳR,R，ＭＸＳSR,SRを生成する。また、制御ユニット１９０は、係数を「０」から「０．５」の範囲に指定した個別減衰制御信号ＭＸＳL,SL，ＭＸＳL,C，ＭＸＳSL,L，ＭＸＳR,SR，ＭＸＳR,C，ＭＸＳSR,Rを生成するとともに、係数を「１」から「０」の範囲に指定した個別減衰制御信号ＭＸＳLFE,C〜ＭＸＳLFE,SRを生成する（図１４参照）。
【００７４】
この各個別減衰制御信号に設定する係数の制御に際して、制御ユニット１９０は、評価値ＥＳＴの時間変化率の絶対値が所定の値以下の期間には、評価値ＥＳＴ及び評価値ＥＳＴの時間変化率に応じて各個別減衰制御信号により指定される係数を、上述した範囲で指定する。
【００７５】
一方、制御ユニット１９０は、評価値ＥＳＴの時間変化率の絶対値が所定の値よりも大きい期間（例えば、図１３におけるｔ＝Ｔ2近傍）には、所定割合で各個別減衰制御信号により指定される係数を増加／減少させる制御を行うことで、上述した範囲で係数を指定する。このように、所定割合で係数の増加／減少制御を行うのは、急激に音質が変化することを防止するためである。
【００７６】
なお、評価値ＥＳＴの時間変化率の所定の値、及び、係数を増加／減少させる所定割合は、聴取者に違和感を与えないという観点から、実験、シミュレーション、経験等に基づいて、予め定められる。
【００７７】
［動作］
次に、上記のように構成された受信装置１００の動作について、音声データの再生処理に主に着目して説明する。
【００７８】
受信装置１００では、操作入力ユニット１５０への利用者による希望局の指定入力がなされると、その旨が制御ユニット１９０へ報告される。この報告を受けた制御ユニット１９０は、希望局に対応する選局指令ＣＳＬをチューナユニット１２０へ向けて送る（図１参照）。
【００７９】
選局指令ＣＳＬを受けたチューナユニット１２０は、アンテナ１１０からの受信信号ＲＦＳにおける希望局からの放送チャンネルの信号を抽出し、選局信号ＳＣＨとして再生処理ユニット１６０のデータ分配ユニット２１０へ向けて送る（図３参照）。選局信号ＳＣＨを受けたデータ分配ユニット２１０では、復調部２１１が、セグメントごとにＯＦＤＭ復調を行った後、Ｌ放送パケットデータＬＰＫをＬパケット処理部２１２へ送るとともに、Ｈ放送パケットデータＨＰＫをＨパケット処理部２１３へ送る（図４参照）。また、復調部２１１は、Ｈ放送に関連するデータのビットエラー率ＨＢＲを検出して、制御ユニット１９０へ送る。
【００８０】
Ｌ放送パケットデータＬＰＫを受けたＬパケット処理部２１２は、Ｌ放送パケットデータＬＰＫを解析し、Ｌ放送の音声及び映像のデータＬＡＶを抽出し、当該データＬＡＶをＬデコード部２１４へ向けて出力する。また、Ｈ放送パケットデータＨＰＫを受けたＨパケット処理部２１３は、Ｈ放送パケットデータＨＰＫを解析し、Ｈ放送の音声及び映像のデータＨＡＶを抽出し、当該データＨＡＶをＨデコード部２１５へ向けて出力する。
【００８１】
Ｌデコード部２１４は、データＬＡＶをデコードし、Ｌ放送の音声データＤＬＡ及び映像データＤＬＶを生成する。こうして生成された音声データＤＬＡは出力音声生成ユニット２２０へ向けて出力され、映像データＤＬＶは映像選択ユニット２３０へ向けて出力される。また、Ｈデコード部２１５は、データＨＡＶをデコードし、Ｈ放送の音声データＤＨＡ及び映像データＤＨＶを生成する。こうして生成された音声データＤＨＡは出力音声生成ユニット２２０へ向けて出力され、映像データＤＨＶは映像選択ユニット２３０へ向けて出力される。
【００８２】
音声データＤＬＡ，ＤＨＡを受けた出力音声生成ユニット２２０では、音声信号分離ユニット２２１が、制御ユニット１９０からのチャンネル分離指令ＣＳＣに従って、音声データＤＬＡを、２チャンネルステレオ方式におけるＬ，Ｒチャンネルに対応する２個の音声チャンネルデータＳＬＴL，ＳＬＴRに分離するとともに、音声チャンネルデータＳＬＴLと同一の音声チャンネルデータＳＬＴSL、音声チャンネルデータＳＬＴRと同一の音声チャンネルデータＳＬＴSR、ゼロレベル信号のデータＳＬＴC，ＳＬＴLFEを生成する。こうして分離・生成された音声チャンネルデータＳＬＴC〜ＳＬＴLFEは、音声選択ユニット２２２へ向けて送られる。
【００８３】
また、音声信号分離ユニット２２１は、制御ユニット１９０からのチャンネル分離指令ＣＳＣに従って、音声データＤＨＡを、５．１チャンネルサラウンド方式におけるＣ〜ＬＦＥチャンネルに対応する６個の音声チャンネルデータＳＨＴC〜ＳＨＴLFEに分離する。こうして分離された音声チャンネルデータＳＨＴC〜ＳＨＴLFEは、音声選択ユニット２２２へ向けて送られる。
【００８４】
＜音声データの再生処理＞
音声選択ユニット２２２は、制御ユニット１９０からの選択指令ＳＬＳに従って、音声チャンネルデータＳＬＴC〜ＳＬＴLFE及び音声チャンネルデータＳＨＴC〜ＳＨＴLFEのいずれかを選択する。選択された音声チャンネルデータは、選択音声データＰＢＴC〜ＰＢＴLFEとして音声信号混合ユニット２２３へ向けて送られ、音声データの再生処理が行われる。
【００８５】
この処理では、図１５に示されるように、まず、ステップＳ１１において、制御ユニット１９０が、データ分配ユニット２１０からのＨ放送ビットエラー率ＨＢＲに基づいて受信信号の受信品質を評価し、評価値ＥＳＴが第１閾値ＴＨＳ１以上か否かを判定する。この判定の結果が否定的であった場合（ステップＳ１１：Ｎ）には、処理はステップＳ１２へ進む。このステップＳ１２では、制御ユニット１９０が、Ｌ放送に基づく音声データ及び映像データを選択すべき旨の選択指令ＳＬＳを生成し、当該指令を音声選択ユニット２２２及び映像選択ユニット２３０へ向けて出力する。これにより、音声選択ユニット２２２においては、音声チャンネルデータＳＬＴC〜ＳＬＴLFEが選択され、選択音声データＰＢＴC〜ＰＢＴLFEとして音声信号混合ユニット２２３へ向けて出力される。また、映像選択ユニット２３０においては、映像データＤＬＶが選択され、出力映像データＶＤＴとして表示ユニット１４０へ向けて出力される。この後、処理はステップＳ１３へ進む。
【００８６】
ステップＳ１３では、制御ユニット１９０が、上述した各個別減衰制御信号ＭＸＳC〜ＭＸＳLFEに指定する係数を「Ｌ設定」に設定する。引き続き、制御ユニット１９０が、個別減衰制御信号ＭＸＳC〜ＭＸＳLFEを含む減衰制御信号ＭＸＳを、音声信号混合ユニット２２３へ向けて発行する。これにより、音声信号混合ユニット２２３においては、減衰制御信号ＭＸＳにより指定された出力音声データＡＤＴC〜ＡＤＴLFEが生成され、音出力ユニット１３０C〜１３０SWへ向けて出力される。
【００８７】
次に、ステップＳ１４において、制御ユニット１９０が、上述したステップＳ１１と同様に、受信信号の受信品質を評価し、評価値ＥＳＴが第１閾値ＴＨＳ１以上か否かを判定する。この判定の結果が否定的であった場合（ステップＳ１４：Ｎ）には、ステップＳ１４の処理が繰り返される。一方、受信品質が高くなり、ステップＳ１４における判定の結果が肯定的になると（ステップＳ１４：Ｙ）、処理はステップＳ１５へ進む。ステップＳ１５では、制御ユニット１９０が、Ｈ放送に基づく音声データ及び映像データを選択すべき旨の選択指令ＳＬＳを生成し、当該指令を音声選択ユニット２２２及び映像選択ユニット２３０へ向けて出力する。これにより、音声選択ユニット２２２においては、音声チャンネルデータＳＨＴC〜ＳＨＴLFEが選択され、選択音声データＰＢＴC〜ＰＢＴLFEとして音声信号混合ユニット２２３へ向けて出力される。また、映像選択ユニット２３０においては、映像データＤＨＶが選択され、出力映像データＶＤＴとして表示ユニット１４０へ向けて出力される。この後、処理は後述するステップＳ２２へ進む。
【００８８】
一方、上述したステップＳ１１における判定の結果が肯定的であった場合（ステップＳ１１：Ｙ）には、処理はステップＳ１６へ進む。このステップＳ１６では、上述したステップＳ１５と同様に、制御ユニット１９０が、Ｈ放送に基づく音声データ及び映像データを選択すべき旨の選択指令ＳＬＳを生成し、当該指令を音声選択ユニット２２２及び映像選択ユニット２３０へ向けて出力する。この後、処理はステップＳ１７へ進む。
【００８９】
ステップＳ１７では、制御ユニット１９０が、受信信号の受信品質を評価し、評価値ＥＳＴが第１閾値ＴＨＳ２以上か否かを判定する。この判定の結果が肯定的であった場合（ステップＳ１７：Ｙ）には、処理はステップＳ１８へ進む。ステップＳ１８では、制御ユニット１９０が、上述した各個別減衰制御信号ＭＸＳC〜ＭＸＳLFEに指定する係数を「Ｈ設定」に設定する。引き続き、制御ユニット１９０が、個別減衰制御信号ＭＸＳC〜ＭＸＳLFEを含む減衰制御信号ＭＸＳを、音声信号混合ユニット２２３へ向けて発行する。これにより、音声信号混合ユニット２２３においては、減衰制御信号ＭＸＳにより指定された出力音声データＡＤＴC〜ＡＤＴLFEが生成され、音出力ユニット１３０C〜１３０SWへ向けて出力される。
【００９０】
次に、ステップＳ１９において、制御ユニット１９０が、上述したステップＳ１７と同様に、受信信号の受信品質を評価し、評価値ＥＳＴが第２閾値ＴＨＳ２以上か否かを判定する。この判定の結果が肯定的であった場合（ステップＳ１９：Ｙ）には、ステップＳ１９の処理が繰り返される。一方、受信品質が低下して、ステップＳ１９における判定の結果が否定的になると（ステップＳ１９：Ｎ）、処理は後述するステップＳ２２へ進む。
【００９１】
一方、上述したステップＳ１７における判定の結果が否定的であった場合（ステップＳ１７：Ｎ）には、処理はステップＳ２０へ進む。ステップＳ２０では、制御ユニット１９０が、各個別減衰制御信号に指定する係数を、「Ｈ設定」と「Ｌ設定」の範囲内で、評価値ＥＳＴに対応するように設定する。なお、この係数は、評価値ＥＳＴと第１閾値ＴＨＳ１との差が大きいほど「Ｈ設定」に近い値に設定され、評価値ＥＳＴと第１閾値ＴＨＳ１との差が小さいほど「Ｌ設定」に近い値に設定される。引き続き、制御ユニット１９０が、個別減衰制御信号ＭＸＳC〜ＭＸＳLFEを含む減衰制御信号ＭＸＳを、音声信号混合ユニット２２３へ向けて発行する。これにより、音声信号混合ユニット２２３においては、減衰制御信号ＭＸＳにより指定された出力音声データＡＤＴC〜ＡＤＴLFEが生成され、音出力ユニット１３０C〜１３０SWへ向けて出力される。
【００９２】
次に、ステップＳ２１において、制御ユニット１９０が、上述したステップＳ１１，Ｓ１７と同様に、受信信号の受信品質を評価し、評価値ＥＳＴが第１閾値ＴＨＳ１以上か否かを判定する。この判定の結果が肯定的であった場合（ステップＳ２１：Ｙ）には、処理はステップＳ２２へ進む。
【００９３】
ステップＳ２２では、制御ユニット１９０が、受信品質の評価値ＥＳＴに基づいて、受信品質の時間変化率を導出する。引き続き、ステップＳ２３において、制御ユニット１９０が、各個別減衰制御信号に指定する係数を、「Ｈ設定」と「Ｌ設定」の範囲内で、評価値ＥＳＴ及び時間変化率に対応するように設定する。この係数設定の制御に際して、評価値ＥＳＴの時間変化率の絶対値が所定の値以下であるときには、制御ユニット１９０は、評価値ＥＳＴの時間変化率に比例させるように係数を決定していく。一方、制御ユニット１９０は、評価値ＥＳＴの時間変化率の絶対値が所定の値よりも大きいときには、所定割合で各個別減衰制御信号により指定される係数を増加／減少させる制御を行う。
【００９４】
引き続き、制御ユニット１９０が、個別減衰制御信号ＭＸＳC〜ＭＸＳLFEを含む減衰制御信号ＭＸＳを、音声信号混合ユニット２２３へ向けて発行する。これにより、音声信号混合ユニット２２３においては、減衰制御信号ＭＸＳにより指定された出力音声データＡＤＴC〜ＡＤＴLFEが生成され、音出力ユニット１３０C〜１３０SWへ向けて出力される。
【００９５】
次に、ステップＳ２４において、制御ユニット１９０が、「Ｈ設定」となったか否かを判定する。この判定の結果が否定的であった場合（ステップＳ２４：Ｎ）には、処理はステップＳ２１へ戻る。また、この判定の結果が肯定的であった場合（ステップＳ２４：Ｙ）には、処理はステップＳ１９へ戻る。
【００９６】
一方、上述したステップＳ２１において、受信品質が低下して、ステップＳ２１おける判定の結果が否定的になった場合（ステップＳ２１：Ｎ）には、処理はステップＳ１２へ戻る。
【００９７】
上記の処理を実行することにより、音声データの再生処理が行われる。
【００９８】
以上説明したように、本実施形態では、受信品質の評価値ＥＳＴが第１閾値ＴＨＳ１以上の期間は、Ｈ放送に基づく音声チャンネルデータＳＨＴC〜ＳＨＴLFEを選択音声データＰＢＴC〜ＰＢＴLFEとして選択し、評価値ＥＳＴが第１閾値ＴＨＳ１未満の期間は、Ｌ放送に基づく音声チャンネルデータＳＬＴC〜ＳＬＴLFEを選択音声データＰＢＴC〜ＰＢＴLFEとして選択する。そして、制御ユニット１９０が、受信品質の評価値ＥＳＴ等に基づき、選択音声データＰＢＴC〜ＰＢＴLFEそれぞれの各スピーカへの振り分け量を指定する減衰制御信号ＭＸＳを生成する。引き続き、制御ユニット１９０は、減衰制御信号ＭＸＳを音声信号混合ユニット２２３へ向けて発行する。音声信号混合ユニット２２３では、減衰制御信号ＭＸＳにより指定された出力音声データＡＤＴC〜ＡＤＴLFEが生成され、音出力ユニット１３０C〜１３０SWへ向けて出力される。したがって、同一番組が同一時間帯に放送される同時放送であって、異なる方式の放送間における再生放送の切り替えに際し、異なる方式の再生音声に、急に切り替わることによる違和感の発生を抑制することができる。
【００９９】
［実施形態の変形］
本発明は、上記の実施形態に限定されるものではなく、様々な変形が可能である。
【０１００】
例えば、上記の実施形態では、Ｌ放送とＨ放送とが同時放送されている地上デジタル放送に関する受信装置に本発明を適用したが、同一時間帯に同一番組を複数のデジタル放送により放送している同時放送の受信装置に対しても本発明を適用することができる。ここで、同時放送に含まれるデジタル放送の数は「２」に限られるものではなく、３以上であってもよい。
【０１０１】
また、上記の実施形態では、受信品質の評価値ＥＳＴに基づいて、評価値ＥＳＴが第１閾値ＴＨＳ１以上である場合にＨ放送に基づく再生出力を行い、評価値ＥＳＴが第１閾値未満の場合にＬ放送からの再生出力を行うこととした。これに対して、Ｌ放送からＨ放送へ切り替えるときの評価値ＥＳＴの閾値を、Ｈ放送からＬ放送へ切り替えるときの評価値ＥＳＴの閾値に比べて高く設定する等、両放送関の切替閾値を異なる値にしてもよい。これにより、頻繁な両放送間の切り替えを防ぐことができる。
【０１０２】
また、上記の実施形態では、制御ユニット１９０は、評価値ＥＳＴ及び評価値ＥＳＴの時間変化率に基づいて、各個別減衰制御信号により指定される係数を決定した。これに対して、制御ユニット１９０は、評価値ＥＳＴのみに基づいて、各個別減衰制御信号により指定される係数を決定するようにしてもよい。
【０１０３】
また、上記の実施形態では、Ｈ放送ビットエラー率ＨＢＲに基づいて、受信信号の受信品質を評価した。これに対して、受信品質の評価は、選局信号ＳＣＨにおけるＳＮ比、選局信号ＳＣＨに対してＡＧＣ（Auto Gain Control）を行う場合におけるＡＧＣ信号の値、ＭＰＧＧ２方式を採用した場合におけるパケットエラーフラグ等に基づいて行うようにしてもよい。
【０１０４】
また、上記の実施形態では、Ｃチャンネルに関する音声チャンネルデータを、Ｌチャンネルに関する音声チャンネルデータとＲチャンネルに関する音声チャンネルデータに振り分けたが、Ｌチャンネル、ＳＬチャンネル、Ｒチャンネル、ＳＲチャンネルのそれぞれに振り分けるようにしてもよい。
【０１０５】
また、上記の実施形態では、Ｈ放送に由来する音声データＤＨＡを５．１チャンネルサラウンド方式とし、Ｌ放送に由来する音声データＤＬＡを２チャンネルステレオ方式としたが、Ｈ放送に由来する音声データが２チャンネル以上であり、Ｌ放送に由来する音声データがＨ放送に由来する音声データのチャンネル数よりも少なければ、いかなるようにしてもよい。
【０１０６】
また、上記の実施形態では、車両に搭載される受信装置に本発明を適用したが、車両以外の他の移動体に搭載される受信装置にも本発明を適用することもできる。
【０１０７】
なお、上記の実施形態における制御ユニット１９０を中央処理装置（ＣＰＵ：Central Processing Unit）、ＤＳＰ（Digital Signal Processor）、読出専用メモリ（ＲＯＭ：Read Only Memory）、ランダムアクセスメモリ（ＲＡＭ：Random Access Memory）等を備えた演算手段としてのコンピュータとして構成し、上記の実施形態における処理を、予め用意されたプログラムを当該コンピュータで実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【０１０８】
【図１】本発明の一実施形態に係る受信装置の構成を概略的に示すブロック図である。
【図２】図１の６個のスピーカの配置位置を説明するための図である。
【図３】図１の再生処理ユニットの構成を示すブロック図である。
【図４】図３のデータ分配ユニットの構成を示すブロック図である。
【図５】図３の出力音声生成ユニットの構成を示すブロック図である。
【図６】図５の音声信号混合ユニットの構成を示すブロック図である。
【図７】図６のＣチャンネル混合部の構成を示すブロック図である。
【図８】図６のＬチャンネル混合部の構成を示すブロック図である。
【図９】図６のＳＬチャンネル混合部の構成を示すブロック図である。
【図１０】図６のＲチャンネル混合部の構成を示すブロック図である。
【図１１】図６のＳＲチャンネル混合部の構成を示すブロック図である。
【図１２】図６のＬＦＥチャンネル混合部の構成を示すブロック図である。
【図１３】評価値の変化に伴う音声データの再生処理を説明するための図である。
【図１４】個別減衰制御信号の係数を説明するための図である。
【図１５】図１の装置による音声データの再生処理を説明するためのフローチャートである。
【符号の説明】
【０１０９】
１００              …  受信装置
１３１C〜１３１SW    …  スピーカ
１９０              …  制御ユニット（評価手段）
２２２              …  音声選択ユニット（切替手段）
２２３              …  音声信号混合ユニット（生成手段）
【図１】
0004929200.tif 000002
【図２】
0004929200.tif 000003
【図３】
0004929200.tif 000004
【図４】
0004929200.tif 000005
【図５】
0004929200.tif 000006
【図６】
0004929200.tif 000007
【図７】
0004929200.tif 000008
【図８】
0004929200.tif 000009
【図９】
0004929200.tif 000010
【図１０】
0004929200.tif 000011
【図１１】
0004929200.tif 000012
【図１２】
0004929200.tif 000013
【図１３】
0004929200.tif 000014
【図１４】
0004929200.tif 000015
【図１５】
0004929200.tif 000016